(57)【要約】【課題】  船縁に着脱の簡単で携帯便利な利便性の高い釣針保持具を提供すること。【解決の手段】  頂部１に釣針吸着可能な、磁石２を固定した吸盤本体３の吸着口３ａを粘着材で成るゲル状台座４の両端の上面４ａに重ねて一体化での吸盤にし、双方の該吸盤間のゲル状台座に数個の磁石を整列に固着した構造で成る釣針保持具にする又、前記する吸盤間のゲル状台座に設けた磁石を除外し、該ゲル状台座にマグネットシート２ａを固着するか、両端と同等構成の吸盤を整列固着で成る釣針保持具にする。【選択図】図１
2014003968.tif 000002
【特許請求の範囲】
【請求項１】
頂部（１）に磁石（２）を固定した吸盤本体（３）の吸着口（３ａ）をゲル状台座（４）の両端の上面（４ａ）に重ねて一体化での吸盤にし、双方の該吸盤間のゲル状台座に数個の磁石を整列に固着したことを特徴とする釣針保持具。
【請求項２】
前記する吸盤間のゲル状台座に設けた磁石を除外し、該ゲル状台座にマグネットシート（２ａ）を固着するか、両端と同等構成の吸盤を整列固着したことを特徴とする、請求項１記載の釣針保持具。
【請求項３】
請求項１での吸盤本体の吸着口をコンパクトなゲル状台座（４０）の上面に一体化するか、或いは、該ゲル状台座の上面に設けた吸着口大の凹状部（５）に吸着口を嵌めこみ一体化での単体で成る吸盤にしたことを特徴とする、釣針保持具。
【請求項４】
前記する吸盤本体の頂部に設けた磁石の平面に蓄光含有で成る比較的薄いプラスチックシート（６）等を固着し、暗がりで磁石の面が発光可能にしたことを特徴とする請求項１，２又は３項記載の釣針保持具。
【発明の詳細な説明】
【技術分野】
【０００１】  この発明は、釣り船の船縁のフラット面に取り付けて使う釣竿仕掛けで吊るした釣り針を一定の位置に保持し、釣りの最中に釣り餌を迅速に釣針に餌付け作業を実施するための釣針保持具に関し、或いは、イカ釣りなどの仕掛けに使う針先が多数突き出して居るイカヅノが幹糸に何本もバラバラに吊るされた釣針を磁石に吸着整頓して、船縁に取り付けて使うことの出来る、釣針保持具に関する。
【背景技術】
【０００２】  この種の従来の技術として、発明の名称、釣り針保持具として特許文献１又は、考案の名称、釣針保持具として実用新案登録文献２に記載され開示されている。即ち、特許文献１では方形で板状基板の表面には細いモノフィラメントを綿状に絡めて作ったマット状の柔軟材を釣り針を引っ掛ける為の保持部を固定し、裏面にはマグネットシートを固定したり、或いは基板自体の材質をゴム磁石にする等で、釣り針保持具を構成し、これらを海釣りでの釣り船の船縁に万力を使い、基板の端を固定する仕組みである。これらは、疑似餌釣りでは表面のマットに釣り針を引っ掛け保持するのに使い、裏面設けたマグネットシートは扁平型釣り針を吸着するのに利用される。
次に文献２での釣針保持具では方形の金属板や樹脂板を基板にし、この基板の中央部に穴を開けて磁石を固定、裏面には粘着ゲルシートを粘着させての釣針保持具を構成し、船縁に基板を固定するのに、基板に付けた粘着ゲルシートを貼り付ける仕組みである。【０００３】
【特許文献１】  特開２００５−３４１９４８号公報
【実用新案登録文献２】
実用新案登録第３１６０３８０号公報
【発明の開示】
【発明が解決しようとする課題】
【０００４】  しかしながら、文献１で記載されたものでは釣り針保持具を船縁に着脱するのに、万力を使っての作業のため、万力を同時に移動させて作業をしなければならない等の作業操作に難が残る。次に、文献２での釣針保持具は粘着ゲルシートの粘着力での船縁への取り付けの為双方の密着度合いが悪く不用意にはがれる等で釣り効果を上げるに問題があり、基より携帯便利で、取り扱い簡単で、且つ船縁面が粗雑でも、或いは水しぶきで取り付け面がぬれ面でも、はがれたり脱落などのトラブルの起きない、確実に着脱の出来る釣針保持具が強く望まれていた。
【課題を解決するための手段】
【０００５】  この発明は、かかる課題を解決する為に、請求項１での発明は図１での全体を示しての斜視図と図２（Ａ）、（Ｂ）で示す図１でのＡ−Ａ断面図で述べるに、釣針保持具において、頂部１に釣針Ａを吸着する磁石２を固定したドム状の吸盤本体３の吸着口３ａを、粘着材で成る方形板状のゲル状台座４の両端の上面４ａに重ねあわせて一体化での吸盤にし、双方の該吸盤間のゲル状台座に数個の磁石を整列した釣針保持具を構成にしている。
次に、請求項２での発明は図３（ａ），（ｂ）で全体を示しての斜視図で述べるに、前記する吸盤間のゲル状台座に設けた磁石を除外し、該ゲル状台座にマグネットシート２ａを固着するか或いは、両端に設けた同等構成の吸盤を整列固着しての釣針保持具の構成とする。
次に、請求項３での発明は図４での全体を示しての斜視図と図５（Ｃ）、（Ｄ）では図４でのＢ−Ｂ断面図で述べるに、前記する吸盤本体の吸着口をコンパクトなゲル状台座４０の上面に一体化するか、或いはゲル状台座の上面に設けた吸着口大の凹状部５に吸着口を嵌めこみ一体化での単体で成る釣針保持具の構成とする。
次に、請求項４での発明は図６での全体を示しての斜視図で述べるに、前記するドム状の吸盤本体の頂部に設けた磁石の平面に蓄光含有プラスチックシート等でなる発光体６を固着し、暗がりで磁石の面が発光可能な釣針保持具にして居る。
【発明の効果】
【０００６】  本発明は上述の様に構成作用するので、次の優れた効果  を奏する。
即ち、請求項１での効果は船縁に載せたゲル状台座付の吸盤に付加する押圧操作で、ゲル状台座の粘着性、吸水性、クッション性等の働きの助成で、船縁が水しぶきでぬれていようが、船縁が粗雑であろうが強い相乗効果の粘着力が働き釣針を吸着する磁石を装備した釣針保持具を船縁に簡単に着脱出来、更に幾つもの磁石を備えているので複数の釣針が磁石に吸着保持され、敏速に餌付けが出来、釣の成果を上げることが出来る。
次に、請求項２での効果は１枚のゲル状台座に数個の磁石付の吸盤を装着したことで、大物魚釣りでの大型扁平針の保持に効果が有り、更に、板状のマグネットシートの装備によってイカヅノの針を保持するのに有用であるなどの釣針保持具を提供出来る。
次に、請求項３での効果は吸盤単体構成で、個別使いの釣針保持具を提供することで、船縁の点在場所での魚の釣上げ棚を選択するにこれらの場所に個別に釣針保持具を固着するなどでの利便性の高い釣針保持具を提供出来る。
次に、請求項４での効果は暗がりでも磁石の位置が一目で分かる釣針保持具を提供出来る。
【発明を実施するための最良の形態】
【０００７】  以下に図示の実施例に基づいて本発明を更に詳細に説明する。
即ち、図１と図２（Ａ）、（Ｂ）は本発明での第１実施例に基づく全体を示しての斜視図と要部の断面図で、塩ビ材で成型されたドム状の吸盤本体３は頂部１に磁石２を固定し、該磁石は強磁性体の希土類磁石を使い、円柱状でも或いは他の任意の形状でも良く、釣針の吸着する露出面の錆対策などを施し、品質を上げても良く、基本的には磁石の諸仕様は釣針の形態、狙いとする魚との整合性を配慮すると良いし、これらの吸盤本体の開口する丸い吸着口３ａは方形板状のゲル状台座４の上面４ａの両サイドに重ねての一体化構成での吸盤を具備した釣針保持具とするが、前記するゲル状は粘着性、吸水性に優れたゴム質で摩擦抵抗の高いポリウレタン樹脂材を選択されての実施例である。いわゆる船縁Ｂが粗雑で水しぶきをかぶっても吸盤の吸着がゲル状の粘着力を介し密着力加勢される構成である。これらの双方の吸盤体と一体化でなるゲル状台座面の中間部には数個の磁石を固定し、数々の釣針を保持出来ることで利便性を高め使い勝手を良くする。尚該第１実施例での吸着口とゲル状台座の一体化結合を図２の（Ａ）で示すＡ−Ａ断面図の様に吸盤体のドム状の内壁にゲル状台座が接着剤貼り付けでの２層構成で、図２の（Ｂ）に示す様に吸盤体に矢印方向に押し圧を掛ける事でドム状内部の空気がゲル状台座と船縁の双方の接合面を押し分け外部に矢印方向に噴出し真空帯が生じて双方の接合面同士に吸着力が働きゲル状面と船縁面が強力に密着可能にした釣針保持具とする。
次に、図３（ａ）、（ｂ）は本発明での第２実施例に基づく全体と要部を示しての斜視図で前記するゲル状台座の両端に一体化でなる双方の吸盤の間に設けた幾つかの磁石を除外し、図（ａ）で示す様に該ゲル状台座にマグネットシート２ａを貼り付けるか、ゲル状台座の両端と同等構成でなる吸盤を所定の間隔を置いて一体化での構成とする。前記でのマグネットシートで構成する釣針保持具はイカ釣りに仕掛けるイカヅノ疑似餌の傘状に突き出る釣針を吸着する等に使うに便利で、又ゲル状台座に吸盤を配列でなる釣針保持具は船縁との吸着力が強烈になるため、強力な磁石を使い狙いとする魚は深海の大物魚に仕掛ける号数の大きい釣針を対象にするなどして、釣針保持具の選択が出来る構成としている。
次に、図４、図５（Ｃ），（Ｄ）は本発明での第３実施例に基づく全体を示しての斜視図とＢ−Ｂ断面図で、前記する吸盤本体の吸着口をコンパクトなゲル状台座４０の上面に一体化するか或いは、該ゲル状台座の上面に設けた吸着口大の凹状部５に吸着口を嵌めこみ一体化での単体構成でなる釣針保持具とし、即ち、ビシ釣での比較的号数の小さい針を使っての魚釣に使う等での個別使いに着脱の利便性に優れる。
次に、図６は本発明での第４実施例に基づく全体を示しての斜視図で、前記する吸盤本体の頂部に設けた磁石の平面に蓄光剤含有の比較的薄いプラスチックシート等の発光体６を固着し、暗がりで磁石の面が発光可能にし、釣針保持具の有り場所が即刻分かる構成にし、使い勝手の向上を配慮し、更には、磁石面に誘発する錆防止や吸着異物の除去を容易にする。
【図面の簡単な説明】
【０００８】
【図１】  本発明に係わる第１実施例での全体を示しての斜視図である。
【図２】  図中（Ａ）図は第１実施例でのＡ−Ａ断面図を示しての操作前の形態で（Ｂ）図は操作後の形態を示している。
【図３】  図中（ａ）図は本発明に係わる第２実施例での一部省略での斜視図で（ｂ）図は他の例を示す全体斜視図である。
【図４】  本発明に係わる第３実施例での全体を示しての斜視図である。
【図５】  図中（Ｃ）図は第３実施例でのＢ−Ｂ断面図を示しての操作前の形態で（Ｄ）図は他の例を示す全体斜視図である。
【図６】  本発明に係わる第４実施例実施例での全体を示しての斜視図である。
【符号の説明】Ｂ        船縁
１        頂部
２        磁石
２ａ      マグネットシート
３        吸盤本体
３ａ      吸着口
４、４０  ゲル状台座
４ａ      上面
５        凹状部
６        発光体
【図１】
2014003968.tif 000003
【図２】
2014003968.tif 000004
【図３】
2014003968.tif 000005
【図４】
2014003968.tif 000006
【図５】
2014003968.tif 000007
【図６】
2014003968.tif 000008